(57)【要約】【課題】フェライトコアとセパレータとの間に空隙部を設けることにより偏向ヨークの温度上昇を低減し、且つ、空隙部によってトロイダル巻の垂直偏向コイルの偏向感度の低下を防止する。【解決手段】フェライトコア４のスクリーン側端にコア押さえピースを取り付け、このコア押さえピース付きのフェライトコア４に垂直偏向コイル５を巻回する。コア押さえピースは、フェライトコア４のスクリーン側の端部における内側面よりも管軸側に突出しているので、垂直偏向コイル５を電子ビームに近づけることができ、空隙部６ａ，６ｂによる偏向感度の低下を防止できる。【選択図】  図１
2004247224.tif 000002
【特許請求の範囲】
【請求項１】
陰極線管に装着される偏向ヨークであって、水平偏向コイルと、フェライトコアと、前記フェライトコアのスクリーン側の端部又はその近傍に取り付けられたコア押さえピースと、前記コア押さえピースが取り付けられた前記フェライトコアの周囲に巻回された垂直偏向コイルと、前記水平偏向コイルと前記垂直偏向コイルとを絶縁するセパレータとを備え、
前記陰極線管の管軸に対して垂直な面における前記フェライトコアの断面形状は前記管軸方向の位置によらず略円形であり、
前記管軸に対して垂直な面における前記セパレータの断面形状は、前記管軸方向の一部の領域において非円形であり、
前記コア押さえピースは、前記フェライトコアのスクリーン側の端部における内側面よりも前記管軸側に突出することにより、前記垂直偏向コイルの一部が前記管軸に近づけられていることを特徴とする偏向ヨーク。
【請求項２】
前記コア押さえピースには、前記垂直偏向コイルの巻き線が嵌り込む複数の溝が形成されている請求項１に記載の偏向ヨーク。
【請求項３】
前記コア押さえピースは、前記セパレータに設けられた弾性部材により支持されている請求項１に記載の偏向ヨーク。
【請求項４】
陰極線管に請求項１〜３のいずれにかに記載の偏向ヨークが装着された陰極線管装置。
【発明の詳細な説明】
【０００１】
【発明の属する技術分野】
本発明は、カラー陰極線管等の陰極線管に備えられる偏向ヨーク及びこの偏向ヨークを用いた陰極線管装置に関する。
【０００２】
【従来の技術】
陰極線管装置の一例として、図５にカラー陰極線管装置の概略構成を示す。このカラー陰極線管装置は、表示部１０１がほぼ矩形状のガラス製のパネル１０２、このパネル１０２に連接された漏斗状のガラス製ファンネル１０３、及びこのファンネル１０３に連接された円筒状のガラス製のネック部１０４からなる真空外囲器を有する。ファンネル１０３のネック部１０４寄りの外周部分に偏向ヨーク１０９が装着されている。ファンネル１０３は、ネック部１０４との連接部から偏向ヨーク１０９が装着された位置までの径小部、いわゆるヨーク部１１０を有する。パネル１０２の内面には、青、緑、赤に発光するドット状またはストライプ状の３色蛍光体層からなる蛍光体スクリーン１０５が設けられ、この蛍光体スクリーン１０５に対向して、多数の電子ビーム通過孔が形成されたシャドウマスク１０６が配置されている。
【０００３】
ネック部１０４内には３つの電子ビーム１０７を射出するインライン型の電子銃１０８が配設されている。電子ビーム１０７は、偏向ヨーク１０９の発生する水平及び垂直偏向磁界により水平及び垂直方向に偏向され、シャドウマスク１０６を介して蛍光体スクリーン１０５上を水平及び垂直走査され、これによりカラー画像が表示される。
【０００４】
図６（Ａ）は、偏向ヨーク１０９がヨーク部１１０に備えられた従来の陰極線管装置の側面図である。また、図６（Ａ）の陰極線管装置において、矢印Ｚで示す陰極線管の管軸に対して垂直な面６Ｂ−６Ｂ，６Ｃ−６Ｃ，６Ｄ−６Ｄにおける偏向ヨーク１０９の断面図を順に図６（Ｂ）、図６（Ｃ）、図６（Ｄ）に示す。パネル１０２面から断面６Ｂ−６Ｂ，６Ｃ−６Ｃ，６Ｄ−６Ｄまでの距離は、それぞれ５６．９ｍｍ、３１．９ｍｍ、２１．９ｍｍである。
【０００５】
図示していないが、偏向ヨーク１０９が装着されるヨーク部１１０は略錐台状であり、その断面形状は、ネック部１０４側からパネル１０２側にいくにしたがって円形状から次第に略矩形状に変化している。偏向ヨーク１０９の断面形状は、このヨーク部１１０の断面形状変化に合致するように、図６（Ｂ）〜図６（Ｄ）に示すように、ネック部１０４側からパネル１０２側にいくにしたがって円形状から次第にほぼ略矩形状に変化している。
【０００６】
図６（Ｂ）〜図６（Ｄ）に示すように、偏向ヨーク１０９は、プラスチック材料（電気絶縁性樹脂）よりなるセパレータ１１１と、セパレータ１１１の内面にＸ軸（管軸Ｚを通り矩形状パネル１０２の長軸と平行な軸）に対して対称に組み込まれた一対の水平偏向コイル１１２と、セパレータ１１１の外面に装着されたフェライトコア１１４と、フェライトコア１１４の表面に沿ってトロイダル型に巻回された垂直コイル１１５とを備えている。
【０００７】
セパレータ１１１はヨーク部１１０の断面形状にあわせて錐台状に形成され、その断面形状は、ネック部１０４側からパネル１０２側にいくにしたがって円形状から次第に略矩形状に変化している。セパレータ１１１の内側に設けられた水平偏向コイル１１２及びセパレータ１１１の外側を覆うフェライトコア１１４の各断面形状は、セパレータ１１１の断面形状の変化に合致するように、ネック部１０４側の部分では円形状であり（図６（Ｂ））、パネル１０２側の部分では略矩形状である（図６（Ｃ）、図６（Ｄ））。
【０００８】
このように、ヨーク部１１０の一部をその断面形状が円形状から略矩形状に徐々に変化する錐台状に形成し、これに合わせて、偏向ヨーク１０９及びその構成要素の断面形状を円形状から略矩形状に徐々に変化させることにより、断面形状変化がほとんどない円錐台状の偏向ヨークを用いた場合と比較して、断面が略矩形状部分において偏向ヨーク１０９のＸ軸方向及びＹ軸方向の寸法を小さくすることができる。従って、水平偏向コイル１１２及び垂直偏向コイル１１３を電子ビームに近づけることができるので、効率良く電子ビームを偏向させることができ、偏向電力の低減を図ることができる。
【０００９】
近年、テレビジョンやディスプレイモニター用カラー陰極線管の省スペース化のために偏向角度を広偏向角化したり、テレビジョンやディスプレイモニターの高精細表示化のために偏向周波数を高周波化したりすることにより、偏向ヨークの温度上昇が問題となっている。
【００１０】
偏向ヨークの温度上昇を抑制するための方法として、垂直偏向コイルとフェライトコアとの間、あるいは、セパレータとフェライトコアとの間に中空部を形成することにより、偏向コイルの放熱効果を高める方法が提案されている（例えば特許文献１参照）。
【００１１】
【特許文献１】
特開２００２−０４２６９２号公報（段落［００２８］）
【００１２】
【発明が解決しようとする課題】
しかしながら、垂直コイルがフェライトコアに銅線が巻回されたトロイダル方式である場合、中空部が存在するために垂直偏向コイルの内面と電子ビームとの距離が大きくなってしまい、垂直偏向電力が増大してしまう。また、フェライトコア内面とセパレータとの間に中空部があるため、フェライトコアをセパレータに組み付ける際に組立てばらつきが発生し、これがコンバーゼンス特性の悪化を招く。
【００１３】
本発明は従来の偏向ヨークの上記問題を解決するためになされたものであり、温度上昇を低減し、且つ、垂直偏向電力の増大を招かない偏向ヨーク及びその偏向ヨークを用いたカラー陰極線管装置を提供することを目的とする。
【００１４】
【課題を解決するための手段】
上記の目的を達成するために、本発明の偏向ヨークは、陰極線管に装着される偏向ヨークであって、水平偏向コイルと、フェライトコアと、前記フェライトコアのスクリーン側の端部又はその近傍に取り付けられたコア押さえピースと、前記コア押さえピースが取り付けられた前記フェライトコアの周囲に巻回された垂直偏向コイルと、前記水平偏向コイルと前記垂直偏向コイルとを絶縁するセパレータとを備え、前記陰極線管の管軸に対して垂直な面における前記フェライトコアの断面形状は前記管軸方向の位置によらず略円形であり、前記管軸に対して垂直な面における前記セパレータの断面形状は、前記管軸方向の一部の領域において非円形であり、前記コア押さえピースは、前記フェライトコアのスクリーン側の端部における内側面よりも前記管軸側に突出することにより、前記垂直偏向コイルの一部が前記管軸に近づけられていることを特徴とする。
【００１５】
また、本発明の陰極線管装置は、陰極線管に上記本発明の偏向ヨークが装着されてなる。
【００１６】
【発明の実施の形態】
本発明に係る偏向ヨークでは、陰極線管の管軸に対して垂直な面におけるフェライトコアの断面形状は管軸方向の位置によらず略円形であり、管軸に対して垂直な面におけるセパレータの断面形状は、管軸方向の一部の領域において非円形である。従って、セパレータの、その断面形状が非円形である管軸方向の領域において、セパレータとフェライトコアとの間に中空部が形成される。この中空部を利用して垂直及び水平偏向コイルの放熱効果を高めることができるので、偏向ヨークの温度上昇を抑えることができる。
【００１７】
また、フェライトコアのスクリーン側の端部又はその近傍にコア押さえピースが取り付けられる。コア押さえピースはフェライトコアのスクリーン側の端部における内側面よりも管軸側に突出することにより、垂直偏向コイルの一部が前記管軸に近づけられている。これにより、上記の中空部を設けたにもかかわらず、垂直偏向コイルと電子ビームとの距離の増大を防止することができ、偏向ヨークの垂直偏向電力が増大するのを防止できる。
【００１８】
更に、フェライトコアの断面形状は管軸方向の位置によらず略円形であるので、研磨加工によって設計寸法に対してほぼ誤差なく高精度にフェライトコアを容易に加工することができる。
【００１９】
上記の本発明の偏向ヨークにおいて、前記コア押さえピースには、前記垂直偏向コイルの巻き線が嵌り込む複数の溝が形成されていることが好ましい。かかる好ましい構成によれば、垂直偏向コイルの製造時に巻き線の位置ずれを防止できる。また、巻き線がコア押さえピースとセパレータとの間に挟まって巻き線が損傷するのを防止できる。
【００２０】
上記の本発明の偏向ヨークにおいて、前記コア押さえピースは、前記セパレータに設けられた弾性部材により支持されていることが好ましい。かかる好ましい構成によれば、セパレータとフェライトコアとの中心軸合わせを容易且つ高精度に行うことができ、組み立て精度のばらつきや、これによって生じるコンバーゼンス不良を防止できる。
【００２１】
また、本発明の陰極線管装置は、陰極線管に上記の本発明の偏向ヨークが装着されてなる。これにより、偏向ヨークの温度上昇が低減され、且つ、これにもかかわらず垂直偏向電力の増大を抑えることができる。
【００２２】
以下、本発明の一実施形態に係る偏向ヨーク及びその偏向ヨークを用いた１９インチコンピュータモニタ用のカラー陰極線管装置について説明する。
【００２３】
本発明に係る偏向ヨークが取り付けられるカラー陰極線管は、上述した図５に示す従来のものと同様であるのでその説明を省略する。本発明の偏向ヨークは、断面形状がネック部１０４側からパネル１０２側にいくにしたがって円形状から次第に略矩形状に変化するファンネル１０３のヨーク部１１０に装着される。
【００２４】
本発明の一実施形態に係る偏向ヨーク９の側面図を図１（Ａ）に示す。図１（Ａ）において、紙面左方向が陰極線管のネック部１０４側であり、紙面右方向がパネル１０２側である。また、図１（Ａ）の偏向ヨーク９のＺ軸（陰極線管の管軸）に対して垂直な面１Ｂ−１Ｂ，１Ｃ−１Ｃ，１Ｄ−１Ｄにおける断面図を順に図１（Ｂ）、図１（Ｃ）、図１（Ｄ）に示す。陰極線管のパネル面から断面１Ｂ−１Ｂ，１Ｃ−１Ｃ，１Ｄ−１Ｄまでの距離は、それぞれ５６．９ｍｍ、３１．９ｍｍ、２１．９ｍｍである。
【００２５】
図１（Ｂ）〜図１（Ｄ）に示すように、偏向ヨーク９は、セパレータ１と、セパレータ１の内面にＸ軸（管軸Ｚを通り矩形状パネル１０２の長軸と平行な軸）に対して対称に組み込まれた一対の水平偏向コイル２と、セパレータ１の外面に装着されたフェライトコア４と、フェライトコア４にトロイダル型に巻回された垂直コイル５とを備えている。
【００２６】
セパレータ１はヨーク部１１０の断面形状にあわせて錐台状に形成され、その断面形状は、陰極線管のネック部１０４側からパネル１０２側にいくにしたがって円形状から次第に略矩形状に変化している。図１（Ａ）に示すように、セパレータ１の断面形状が非円形状の部分Ｐを非円形領域といい、セパレータ１の断面形状が円形状の部分Ｑを円形領域ということにする。セパレータ１の内側に設けられた水平偏向コイル２の断面形状は、セパレータ１の断面形状の変化に合致するように、ネック部１０４側の円形領域Ｑでは円形状であり（図１（Ｂ））、パネル１０２側の非円形領域Ｐでは略矩形状である（図１（Ｃ）、図１（Ｄ））。一方、セパレータ１の外側に搭載されたフェライトコア４の断面形状はＺ軸方向の位置にかかわらず円形状であり、ネック部１０４に近づくにつれてその径は小さくなっている。
【００２７】
次に、偏向ヨーク９の構成を図２及び図３を参照しながら詳細に説明する。図２は、偏向ヨーク９のフェライトコア４のパネル１０２側端とセパレータ２のパネル１０２側端との間の部分でのＺ軸に垂直な断面図である。図３（Ａ）はＹ軸及びＺ軸を含む面での陰極線管装置の片断面図、図３（Ｂ）は図３（Ａ）の部分３Ｂの拡大図である。
【００２８】
図２に示すように、セパレータ１は、その内側に配された水平偏向コイル２とその外側に配された垂直偏向コイル５とを絶縁するものであり、プラスチック材料（電気絶縁性樹脂）で形成されている。
【００２９】
断面形状が円形のフェライトコア４のスクリーン側端のＸ軸を挟んで略対称の位置には、プラスチック材料で出来た一対のコア押さえピース３が装着されている。コア押さえピース３のＺ軸から遠い側の周縁はフェライトコア４の外周縁に沿った円弧状である。また、コア押さえピース３のＺ軸に近い側の周縁は、フェライトコア４の内周縁よりもＺ軸側に延び、セパレータ１の外周面の断面形状である略矩形の長辺に沿っている。このようなコア押さえピース３は、図２に示すように、Ｚ軸を中心としてＸ軸から時計回り方向に３０°〜１５０°及び２１０°〜３５０°の角度範囲におけるフェライトコア４のスクリーン側端面を覆っている。
【００３０】
コア押さえピース３が装着されたフェライトコア４に垂直偏向コイル５が巻回されている。図２では、垂直偏向コイル５は、コア押さえピース３の表面に沿って放射状に巻回されている。コア押さえピース３のＺ軸に近い側の周縁には溝３１が形成されている。この溝３１内に垂直偏向コイル５の巻き線を嵌め込ませて巻き線を固定することにより、コイルの巻線工程での巻き線（導線）の位置ずれやばらつきを小さく抑えることができる。また、コア押さえピース３のＺ軸に近い側の周縁をセパレータ１の外周面に接触させてフェライトコア４をセパレータ１に対して固定させたときに、垂直偏向コイル５がコア押さえピース３とセパレータ１との間に挟まって垂直偏向コイル５の巻き線が損傷するのを防止できる。図２では、コア押さえピース３のＺ軸に近い側の周縁にのみ溝３１が形成されているが、Ｚ軸から遠い側の周縁にも同様の溝を形成しても良い。
【００３１】
図３に示すように、フェライトコア４の外周側では、垂直偏向コイル５はフェライトコア４の表面にほぼ沿っている。一方、フェライトコア４の内周側では、スクリーン側端ではフェライトコア４の内径よりもＺ軸側に突出したコア押さえピース３がセパレータ１の外周面に接触し、ネック部側端ではフェライトコア４が垂直偏向コイル５を介してセパレータ１の外周面に接触しているので、垂直偏向コイル５はセパレータ１の外周面にほぼ沿っている。
【００３２】
本実施形態に係る偏向ヨーク１では、非円形領域Ｐにおいて、セパレータ１の断面形状は陰極線管のヨーク部１１０の断面形状に合致するような略矩形状であるのに対して、その外側に搭載されるフェライトコア４の断面形状は円形である。したがって、非円形領域Ｐにおいて、セパレータ１とフェライトコア４との間にＸ軸方向及びＹ軸方向に中空部６ａ，６ｂが形成される（図１（Ｃ）、図１（Ｄ）参照）。フェライトコア４のスクリーン側端に、フェライトコア４の内周面よりもＺ軸方向に突出したコア押さえピース３をＹ軸方向に対向させて装着し、このコア押さえピース３付きのフェライトコア４の外側に垂直偏向コイル５を巻回しているので、Ｙ軸方向の中空部６ｂは、フェライトコア４の内周面と垂直偏向コイル５との間に形成される。この中空部６ａ，６ｂにより水平偏向コイル４及び垂直偏向コイル５の放熱が促進されるので、偏向ヨーク９の温度上昇を抑えることができる。
【００３３】
更に、非円形領域Ｐにおいて、フェライトコア４の内周側の垂直偏向コイル５は、セパレータ１の外周面にほぼ沿って配置されている。即ち、垂直偏向コイル５は可能な限り電子ビーム側に接近させられている。従って、中空部６ｂにより偏向ヨーク９の温度上昇を防止しているにもかかわらず、従来の同様の中空部を設けた偏向ヨークに比べて垂直偏向電力の増大を著しく減少させることができる。
【００３４】
ここで、非円形領域Ｐにおいてフェライトコア４は電子ビームから遠ざかっているが、本発明者らのシミュレーションの解析結果によれば、偏向電力の低減効果に有効な要素はフェライトコア４ではなく水平偏向コイル２及び垂直偏向コイル５自体であることを確認している。従って、本実施形態に係る偏向ヨークの構成でも偏向電力の低減効果を十分に得ることができる。
【００３５】
更に、フェライトコア４はスクリーン側ではコア押さえピース３を介してセパレータ１上に保持されている。従って、セパレータ１とフェライトコア４との間に中空部６ａ，６ｂを設けたにもかかわらず、両者の中心軸合わせが容易であり、組み立て精度を確保でき、陰極線管装置のコンバーゼンス特性の悪化を防止できる。
【００３６】
上記の偏向ヨーク９において、図３（Ｂ）に示すように、セパレータ１の外周面上のＹＺ面と交差する位置又はその近傍に、片持ち支持構造によりＹ軸方向に弾性変形可能な弾性突起１２を設け、この弾性突起１２にコア押さえピース３のＺ軸に近い側の周縁を当接させることにより、フェライトコア４をセパレータ１に対して固定させても良い。この弾性突起１２を設けることにより、偏向ヨーク９の組み立て時におけるフェライトコア４のＹ軸方向の軸ずれを防止することができる。その結果、安定した磁界特性及びコンバーゼンス特性を備えた偏向ヨーク９を得ることができ、良好な画質の陰極線管装置を提供することができる。
【００３７】
次に、本発明の一実施形態に係る偏向ヨーク（本発明品）及び従来の偏向ヨーク（従来品）における垂直偏向電流の計算結果について説明する。本発明品及び従来品は、コンピューターディスプレイモニタに用いられるカラー陰極線管（１９インチ−偏向角１００°−ネック径φ２９．１ｍｍ）用の偏向ヨークである。本発明品及び従来品のフェライトコア及びセパレータのＺ軸に垂直な断面での寸法をそれぞれ表１及び表２に示す。表１及び表２に示された各断面は、図１（Ｂ）〜（Ｄ）及び図６（Ｂ）〜（Ｄ）に示された各断面に対応する。表１及び表２にから分かるように、本発明品と従来品とは、フェライトコアの形状が異なるが、セパレータは同一仕様である。
【００３８】
【表１】
2004247224.tif 000003
【００３９】
【表２】
2004247224.tif 000004
【００４０】
以上の偏向ヨークについて垂直偏向電流を計算した結果、従来品が１．５０Ａで、本発明品が１．５２Ａであり、両者はほとんど同じであった。これは、偏向感度はフェライトコアから電子ビームまでの距離ではなく、コイルから電子ビームまでの距離によってほぼ決まるためであると考えられる。
【００４１】
本発明品においてコア押さえピース３を用いない場合についても計算を行ったが、この場合は垂直偏向コイルの内面間距離がフェライトコアの内面間距離とほぼ同じとなり、垂直偏向コイルから電子ビームまでの距離が大きくなるため、垂直偏向電流が１．７４Ａと、本発明品に比べて１４％程度悪化していた。垂直偏向電流が大きくなると、モニタ内の垂直偏向回路のトランジスタ、ＩＣ等の構成部品として定格電流が大きなものを使わなくてはならないので、その分、コストが上昇してしまう。
【００４２】
また、本発明品及び従来品の電源オン後の水平偏向コイルの温度変化の測定結果を図４に示す。水平偏向コイルは、偏向ヨークの中でもっとも温度上昇が大きい部材である。図４に示されているように、温度上昇がほぼ飽和した時の水平偏向コイルの温度は、従来品よりも本発明品の方が７℃低かった。これは、本発明品ではフェライトコア４とセパレータ１との間の中空部６ａ及びフェライトコア４と垂直偏向コイル５との間の中空部６ｂによって放熱効果が高まったためである。従って、本発明の偏向ヨークは、偏向ヨークの熱的信頼性を向上させることが出来る。
【００４３】
【発明の効果】
本発明に係る偏向ヨークは、水平偏向コイル及び垂直偏向コイルが電子ビームに可能な限り近づけられた構成であるため、偏向ヨークの偏向電力の低減を図ることができる。
【００４４】
また、陰極線管の管軸に対して垂直な面におけるフェライトコアの断面形状が略円形であり、管軸に対して垂直な面におけるセパレータの断面形状は、管軸方向の一部の領域において非円形であるために、フェライトコアと水平偏向コイル及び垂直偏向コイルとの間に中空部が形成される。従って、水平及び垂直偏向コイルの銅線径を細線化することなく偏向ヨークの温度上昇を抑制することができる。
【００４５】
このように本発明に係る偏向ヨークは、偏向電力を有効に低減しつつ、偏向ヨークの温度上昇を低減することができる。よって、本発明によれば、省エネルギー化や高周波偏向の要求を満たす偏向ヨークを提供することができる。
【００４６】
また、本発明に係る偏向ヨークを陰極線管に備えることにより、省エネルギー化や高周波偏向の要求を満たすカラー陰極線管装置を提供することができる。
【図面の簡単な説明】
【図１】図１（Ａ）は、本発明の一実施形態に係る偏向ヨークの側面図
図１（Ｂ）〜図１（Ｄ）は、それぞれ図１（Ａ）の偏向ヨークのＺ軸に対して垂直な面１Ｂ−１Ｂ，１Ｃ−１Ｃ，１Ｄ−１Ｄにおける断面図
【図２】本発明の一実施形態に係る偏向ヨークの、フェライトコアのパネル側端とセパレータのパネル側端との間の部分におけるＺ軸に垂直な断面図
【図３】図３（Ａ）はＹ軸及びＺ軸を含む面での本発明の一実施形態に係る陰極線管装置の片断面図
図３（Ｂ）は図３（Ａ）の部分３Ｂの拡大図
【図４】本発明の偏向ヨークと従来の偏向ヨークにおける水平偏向コイルの温度上昇を測定した結果を示した図
【図５】カラー陰極線管装置の概略構成を示した一部破断斜視図
【図６】図６（Ａ）は、従来のカラー陰極線管装置の側面図
図６（Ｂ）〜図６（Ｄ）は、それぞれ図６（Ａ）のカラー陰極線管装置に装着された偏向ヨークのＺ軸に対して垂直な面６Ｂ−６Ｂ，６Ｃ−６Ｃ，６Ｄ−６Ｄにおける断面図
【符号の説明】
１、１１１  セパレータ
２、１１２  水平偏向コイル
３  コア押さえピース
３１  溝
４、１１４  フェライトコア
５、１１５  垂直偏向コイル
６ａ、６ｂ  中空部
９、１０９  偏向ヨーク
１２  弾性突起
１０１  表示部
１０２  パネル
１０３  ファンネル
１０４  ネック部
１０５  蛍光体スクリーン
１０６  シャドウマスク
１０７  ３電子ビーム
１０８  電子銃
１１０  ヨーク部
【図１】
2004247224.tif 000005
【図２】
2004247224.tif 000006
【図３】
2004247224.tif 000007
【図４】
2004247224.tif 000008
【図５】
2004247224.tif 000009
【図６】
2004247224.tif 000010